【手続補正書】
【提出日】平成25年1月4日(2013.1.4)
【手続補正１】
【補正対象書類名】特許請求の範囲
【補正対象項目名】全文
【補正方法】変更
【補正の内容】
【特許請求の範囲】
【請求項１】
対話の権利管理を実行するコンピューティング装置で実施される方法であって、前記方法は、
権利管理サーバにおいて、通信セッションに対する対話の権利に基づく制限を作成する要求を受信するステップと、
要求している第１のクライアントアプリケーションにライセンスを与えるステップと、
第２のクライアントアプリケーションから、前記ライセンスを求める別の要求を受信するステップであって、前記第２のクライアントアプリケーションは、前記第１のクライアントアプリケーションとの前記通信セッションに参加するよう招待されている、受信するステップと、
前記第２のクライアントアプリケーションは信頼できるアプリケーションであり、かつ前記通信セッションに対する前記対話の権利に基づく制限を行使することが可能であることを確認したことに応答して、前記第２のクライアントアプリケーションに前記ライセンスを与えるステップと、
無効な権利管理機能を有する第３のクライアントアプリケーションを検出すると、前記第３のクライアントアプリケーションに、前記ライセンスの提供を拒否することを通知するステップと
を含むことを特徴とする方法。
【請求項２】
前記ライセンスは、前記第１のクライアントアプリケーションおよび前記第２のクライアントアプリケーションが、前記通信セッション中にやりとりしたメッセージを暗号化および復号するために使用する、少なくとも１つの暗号鍵であることを特徴とする請求項１に記載の方法。
【請求項３】
前記対話の権利に基づく制限を作成する前記要求は、前記通信セッションが開始される前、および前記通信セッション中のうちの１つの時点で受信され、前記対話の権利に基づく制限は、前記通信セッションの記録、前記通信セッションに関連する記録、および前記通信セッションに関連する文書のうちの少なくとも１つに適用されることを特徴とする請求項１に記載の方法。
【請求項４】
前記第１のアプリケーションおよび前記第２のアプリケーションのうちの１つから、前記対話の権利に基づく制限を修正するさらなる要求を受信するステップと、
前記要求しているアプリケーションに修正したライセンスを与えるステップと
をさらに含むことを特徴とする請求項１に記載の方法。
【請求項５】
前記通信セッションに関する前記対話の権利に基づく制限は、格納したコンテンツおよび共有データのうちの１つに適用されることを特徴とする請求項１に記載の方法。
【請求項６】
前記対話の権利に基づく制限を用いて、
ユーザが前記通信セッションに参加することを許可するかどうかと、
前記通信セッションを記録することを許可するかどうかと、
前記通信セッションの記録、前記通信セッションに関連する記録、および前記通信セッションに関連する文書のうちの少なくとも１つに対するアクセス許可と
のうちの少なくとも１つを決定することを特徴とする請求項１に記載の方法。
【請求項７】
前記対話の権利に基づく制限は前記通信セッションに関連する文書に適用され、文書処理アプリケーション、表計算アプリケーション、プレゼンテーションアプリケーション、カレンダリングアプリケーション、スケジューリングアプリケーション、および画像処理アプリケーションのうちの１つを含む非通信アプリケーションによって前記文書が用いられる場合、前記制限を持続させるようにすることを特徴とする請求項１に記載の方法。
【請求項８】
前記通信セッションは、音声通信、映像通信、ホワイトボードセッション、データ共有セッション、アプリケーション共有セッション、インスタントメッセージングセッション、および電子メールのやりとりのうちの少なくとも１つを含むマルチモーダルな通信セッションであり、前記対話の権利に基づく制限は、前記通信セッションの１つのモードに対して定義され、かつ全てのモードに適用されることを特徴とする請求項１に記載の方法。
【請求項９】
前記対話の権利に基づく制限は、「非公開」、「秘密」、「制限付き配信」、「転送禁止」、「応答禁止」、「社内機密」、「読み取り専用制限付き社内機密」、「部署制限配信」、「部門制限配信」、「会議への引き上げ禁止」、「記録禁止」、「個人のみ許可」、「正社員に制限」、および「期限付き保存」のうちの１つを含むことを特徴とする請求項１に記載の方法。
【請求項１０】
対話の権利管理を実行する通信システムであって、前記システムは、
前記システムのエンドポイント間のマルチモーダルな通信を促進するように構成された通信サーバと、
第１のエンドポイントからの要求に応じて、前記第１のエンドポイントに暗号鍵を与え、
前記第１のエンドポイントにより第２のエンドポイントに送信された招待によって指示された前記第２のエンドポイントからの要求を受信し、
前記第２のエンドポイントが信頼できるエンドポイントであり、かつ前記第１のエンドポイントにより要求された対話の権利を行使することが可能であるという条件を満たすかどうかを判定し、
前記条件を満たす場合、
暗号化メッセージを介して送信された、モードおよび関連文書を含む、前記マルチモーダルな通信セッションのコンポーネントに対して、前記マルチモーダルな通信セッションにおいて記録制限を別個に指定し、
前記暗号化メッセージに対して行使される記録制限を、復号の情報に挿入し、
前記第２のエンドポイントに前記復号の情報を与えて、前記第１のエンドポイントと前記第２のエンドポイントとの間で暗号化メッセージをやりとりし、前記マルチモーダルな通信セッションを促進し、
前記条件を満たさない場合、前記第２のエンドポイントが前記マルチモーダルな通信セッションに参加できないように、前記第２のエンドポイントにエラーメッセージを与える
ように構成された権利管理サーバと
を備えたことを特徴とするシステム。
【請求項１１】
前記対話の権利の情報は、前記第１のエンドポイント、前記第２のエンドポイント、およびセッション記述プロトコル（ＳＤＰ）拡張機能を用いる前記権利管理サーバとの間でやりとりされ、前記マルチモーダルな通信セッションに参加しようと試みるが、適用された前記対話の権利に従うことができないエンドポイントは、アクセスを拒否されることを特徴とする請求項１０に記載のシステム。
【請求項１２】
前記第２のエンドポイントは、前記通信システムの信頼サーバによる認証を介して、信頼できるエンドポイントであると決定されることを特徴とする請求項１０に記載のシステム。
【請求項１３】
マルチモーダルな通信アプリケーションを介して対話の権利を管理する方法を実行するための命令を格納するコンピュータ可読記憶媒体であって、前記方法は、
少なくとも１つの通信モードを選択することによってユーザが通信セッションを開始できるようにするユーザインタフェースを与えるステップであって、前記ユーザはさらに、前記通信セッションに対する対話の権利の状態を特定することが可能である、与えるステップと、
前記通信セッションに対する前記特定された対話の権利の状態を行使するために用いられる少なくとも１つの暗号鍵を、権利管理サーバから取得するステップと、
モードおよび関連文書を含む、前記通信セッションのコンポーネントに対して、前記通信セッションにおいて記録制限を別個に指定するステップと、
他の通信アプリケーションが無効な権利管理機能を有すると判定すると、前記他の通信アプリケーションに、前記少なくとも１つの暗号鍵の提供を拒否することを通知するステップと、
前記他の通信アプリケーションが有効な権利管理機能を有すると判定すると、前記少なくとも１つの暗号鍵を含む招待メッセージを前記他の通信アプリケーションに送信するステップと、
前記他の通信アプリケーションから成功した受理メッセージを受信すると、前記少なくとも１つの暗号鍵を用いて暗号化されたメッセージをやりとりすることによって、前記通信セッションを促進するステップと
を含むことを特徴とするコンピュータ可読記憶媒体。
【請求項１４】
前記通信セッションは、ピアツーピア通信システムにおいて行われ、適用可能な対話の権利の一部分は、参加しているエンドポイントの機能に基づいて無効にされることを特徴とする請求項１３に記載のコンピュータ可読記憶媒体。
【請求項１５】
各適用された対話の権利を用いて、適用可能な通信モード、物理的エンドポイント、前記通信セッションの継続時間、および関連データを取り入れたスキーマを定義することを特徴とする請求項１３に記載のコンピュータ可読記憶媒体。